(57)【要約】【課題】引出形開閉器の断路、接続位置によって、正面扉の開閉を機械的に制御するインターロック装置を提供する。【解決手段】正面扉４の上下方向に設けた複数の固定ピン８と、固定ピン８が係止される箱体１の上下方向に設けた複数の係止溝１３と、固定ピン８の複数に連結された正面扉４の開閉を制御するインターロック機構１１と、箱体１内に収納される引出形開閉器１４とを備え、インターロック機構１１は、固定ピン８端に固定されたインターロック板と、インターロック板に設けたインターロック孔を移動自在に貫通するとともに、引出形開閉器１４引出したとき移動するインターロックピンとを有し、接続位置でインターロックピンの移動が不可となり、断路位置で移動可となることを特徴とする。【選択図】図１
2010252561.tif 000002
【特許請求の範囲】
【請求項１】
正面扉の上下方向に設けた複数の固定ピンと、
前記固定ピンが係止される箱体の上下方向に設けた複数の係止溝と、
前記固定ピンの複数に連結された前記正面扉の開閉を制御するインターロック機構と、
前記箱体内に収納される引出形開閉器とを備え、
前記インターロック機構は、前記固定ピン端に固定されたインターロック板と、
前記インターロック板に設けたインターロック孔を移動自在に貫通するとともに、前記引出形開閉器に当接して移動するインターロックピンとを有することを特徴とする金属閉鎖形スイッチギヤのインターロック装置。
【請求項２】
前記インターロック孔は、両端の太径部と前記太径部間を結ぶ細溝部とからなり、
前記インターロックピンは、前記インターロック孔の太径部を貫通できる太径部と、前記インターロック孔の細溝部を移動できる細径部とからなり、
前記引出形開閉器が接続位置のとき、前記インターロック孔の太径部に前記インターロックピンの太径部が位置し、
前記引出形開閉器が断路位置のとき、前記インターロック孔に前記インターロックピンの細径部が位置することを特徴とする請求項１に記載の金属閉鎖形スイッチギヤのインターロック装置。
【請求項３】
前記インターロックピン端、およびこのインターロックピン端が当接する前記引出形開閉器の部位の少なくとも一方に緩衝材を設けたことを特徴とする請求項１または請求項２に記載の金属閉鎖形スイッチギヤのインターロック装置。
【請求項４】
前記インターロックピン端が当接する前記引出形開閉器の部位にインターロックスイッチを設けたことを特徴とする請求項１乃至請求項３のいずれか１項に記載の金属閉鎖形スイッチギヤのインターロック装置。
【請求項５】
前記インターロック孔の太径部を、前記インターロックピンの太径部が移動できる長円状としたことを特徴とする請求項１乃至請求項４のいずれか１項に記載の金属閉鎖形スイッチギヤのインターロック装置。
【発明の詳細な説明】
【技術分野】
【０００１】
本発明は、遮断器、断路器など引出形開閉器を収納する金属閉鎖形スイッチギヤのインターロック装置に関する。
【背景技術】
【０００２】
従来、引出形開閉器を収納した金属閉鎖形スイッチギヤにおいては、引出形開閉器の開路、閉路状態や、断路、接続位置によって、正面扉の開閉を制御するインターロック装置が設けられている。例えば、引出形開閉器が母線側の主回路と接続位置のときには正面扉を開閉不可とし、断路位置のときには正面扉を開閉可としている（例えば、特許文献１参照。）。
【先行技術文献】
【特許文献】
【０００３】
【特許文献１】特開２００２−１３５９１９号公報  （第３〜４ページ、図１）
【発明の概要】
【発明が解決しようとする課題】
【０００４】
上記の従来の金属閉鎖形スイッチギヤのインターロック装置においては、引出形開閉器の接続、断路位置によって、正面扉の開閉を制御し、充電された主回路への近接防止の観点から作業性の向上が図られていた。
【０００５】
一方、正面扉においては、事故時などの内部アークに対し、容易に開放されないように、強固に固定しなければならない。箱体との係止点を数個所とすれば強固な固定ができるが、このような正面扉においても、扉を固定する機械的強度を保ちつつ、開閉を制御する機械的なインターロック装置が望まれていた。
【０００６】
本発明は上記問題を解決するためになされたもので、引出形開閉器の断路、接続位置によって、正面扉の開閉を制御する金属閉鎖形スイッチギヤのインターロック装置を提供することを目的とする。
【課題を解決するための手段】
【０００７】
上記目的を達成するために、本発明の金属閉鎖形スイッチギヤのインターロック装置は、正面扉の上下方向に設けた複数の固定ピンと、前記固定ピンが係止される箱体の上下方向に設けた複数の係止溝と、前記固定ピンの複数に連結された前記正面扉の開閉を制御するインターロック機構と、前記箱体内に収納される引出形開閉器とを備え、前記インターロック機構は、前記固定ピン端に固定されたインターロック板と、前記インターロック板に設けたインターロック孔を移動自在に貫通するとともに、前記引出形開閉器に当接して移動するインターロックピンとを有することを特徴とする。
【発明の効果】
【０００８】
本発明によれば、正面扉を箱体に係止する複数の固定ピンに、引出形開閉器の断路、接続位置で動作するインターロック装置を連動させているので、断路、接続位置によって確実に正面扉の開閉を制御することができる。
【図面の簡単な説明】
【０００９】
【図１】本発明の実施例１に係る金属閉鎖形スイッチギヤのインターロック装置の構成を示す斜視図。
【図２】本発明の実施例１に係る金属閉鎖形スイッチギヤのインターロック装置の構成を示す拡大断面図。
【図３】本発明の実施例１に係る金属閉鎖形スイッチギヤのインターロック装置の構成を示す拡大正面図。
【図４】本発明の実施例１に係る金属閉鎖形スイッチギヤのインターロック装置の動作を説明する拡大正面図。
【図５】本発明の実施例２に係る金属閉鎖形スイッチギヤのインターロック装置の構成を示す拡大断面図。
【図６】本発明の実施例３に係る金属閉鎖形スイッチギヤのインターロック装置の構成を示す拡大正面図。
【発明を実施するための形態】
【００１０】
以下、図面を参照して本発明の実施例を説明する。
【実施例１】
【００１１】
先ず、本発明の実施例１に係る金属閉鎖形スイッチギヤのインターロック装置を図１〜図４を参照して説明する。
【００１２】
図１に示すように、箱体１の開口部２には、一側辺が蝶番３で固定された開閉自在の正面扉４が設けられている。正面扉４の他側辺は、箱体１側にＬ字状に折り曲げられており、板状の第１の上下板５ａに形成されている。第１の上下板５ａと略平行に板状の第２の上下板５ｂが設けられ、第１の上下板５ａと第２の上下板５ｂとで上下方向に伸びた溝状の固定溝５が形成されている。第１の上下板５ａと第２の上下板５ｂとには、上下方向に長円状の複数の開口孔６が設けられている。
【００１３】
固定溝５内には、上下方向に移動自在の断面コ字状の可動金具７が設けられている。可動金具７には、水平配置された回転自在の複数の固定ピン８がコ字状の両側面を貫通し、開口部６まで達している。開口孔６を貫通した固定ピン８の両端には、Ｃリング９が設けられ、固定ピン８が開口孔６から外れないようになっている。可動金具７の中間部のコ字状底部には、移動自在の手動ハンドル１０の一方端が固定されており、他方端が正面扉４の外側に導出されている。また、上下方向の中間部の複数本の固定ピン８には、後述するインターロック機構１１が連結されている。
【００１４】
可動金具７に対向する箱体１側には、二枚の固定板１２が上下方向に所定の間隔を保って設けられている。固定板１２には、固定ピン８に対向し、複数の係止溝１３が設けられている。係止溝１３は、Ｌ字状となっており、手動ハンドル１０を持ち上げたとき固定ピン８が水平移動できる水平部１３ａと、手動ハンドル１０を下げたとき固定ピン８が下方向に移動できる垂直部１３ｂとで構成されている。
【００１５】
箱体１内には、遮断器などの引出形開閉器１４が収納されており、開口部２側に引き出したときが断路位置となり、奥行方向に挿入したときが接続位置となる。
【００１６】
インターロック機構１１は、図２、３に示すように、複数の固定ピン８端にＬ字状のインターロック板１５の一側面が固定されている。図２では二本の固定ピン８でインターロック板１５が固定され、確実に連動して移動できるようになっている。インターロック板１５の他側面には、インターロックピン１６が貫通する上下方向に長円状のインターロック孔１７が設けられている。
【００１７】
インターロックピン１６は、両端の太径部１６ａと中間部の細径部１６ｂとで構成されている。また、インターロック孔１７は、上下端にインターロックピン１６の太径部１６ａが移動自在に貫通できる太径部１７ａと、太径部１７ａ間を結び細径部１６ｂが移動できる細溝部１７ｂとで構成されている。
【００１８】
インターロック孔１７を設けたインターロック板１５の両側面には、所定の間隔を保ってコ字状の支え板１８が設けられている。そして、インターロックピン１６の太径部１６ａが支え板１８の両側面を移動自在に貫通している。インターロックピン１６の箱体１側には、このインターロックピン１６を箱体１側に移動させるように付勢されたバネ１９が設けられている。支え板１８は、ベース板２０で正面扉４に固定されている。
【００１９】
ここで、図２、３は、正面扉４を閉状態とし、引出形開閉器１４を接続位置にしたときを示している。インターロックピン１６の太径部１６ａがインターロック孔１７の上端の太径部１７ａを貫通しており、インターロック板１５を上方向に移動させることができないようになっている。即ち、固定ピン８が係止溝１３の垂直部１３ｂに位置し、上方向に移動させることができないので、手動ハンドル１０を持ち上げることができず、正面扉４を開けることができない。
【００２０】
一方、引出形開閉器１５を図示しない可動装置で断路位置にすると、図４に示すように、引出形開閉器１４がインターロックピン１６端に当接し、インターロックピン１６が引出形開閉器１５に押されて正面扉４側に移動する。これによりバネ１９が圧縮され、インターロックピン１６の細径部１６ｂがインターロック板１５の位置まで移動する。
【００２１】
すると、細径部１６ｂは、インターロック孔１７の細溝部１７ｂを移動することが可能なため、固定ピン８を持ち上げることができる。インターロック孔１７の下端の太径部１７ａにインターロックピン１６が位置するまでインターロック板１５を移動させると、固定ピン８が係止溝１３の垂直部１３ｂから水平部１３ａまで移動するので、正面扉４を開放することができる。
【００２２】
これらのことより、引出形開閉器１４を接続位置にしたときには正面扉４を開閉不可とし、断路位置にしたときには正面扉４を開閉可とすることができる。なお、引出形開閉器１４が故障などで移動不可のときには、箱体１外となる第１の上下板５ａ側に設けているＣリング９を取外すことにより、固定ピン８を引抜くことができ、正面扉４を臨時的に開放することができる。
【００２３】
上記実施例１の金属閉鎖形スイッチギヤのインターロック装置によれば、箱体１側に設けた複数の係止溝１３と、正面扉４側に設けた複数の固定ピン８とにより正面扉４の固定を行うとともに、複数の固定ピン８にインターロック機構１１を連動させているので、引出形開閉器１４の断路、接続位置によって正面扉４の開閉を確実に制御することができる。また、複数の固定ピン８により、正面扉４を強固に固定することができる。
【実施例２】
【００２４】
次に、本発明の実施例２に係る金属閉鎖形スイッチギヤのインターロック装置を図５を参照して説明する。なお、この実施例２が実施例１と異なる点は、インターロックピンに電気的なインターロックを付加したことである。図５において、実施例１と同様の構成部分においては、同一符号を付し、その詳細な説明を省略する。
【００２５】
図５に示すように、インターロックピン１６端が当接する引出形開閉器１４の部位にインターロックスイッチ２１を設けている。また、インターロックピン１６端には、弾性体からなる緩衝材２２を設けている。なお、インターロックスイッチ２１と緩衝材２２は、少なくとも一方を設けることができる。また、緩衝材２２は、インターロックピン１６端側、および引出形開閉器１４側の少なくとも一方に設ければよい。
【００２６】
上記実施例２の金属閉鎖形スイッチギヤのインターロック装置によれば、実施例１による効果のほかに、引出形開閉器１４の位置を表示するなどの電気的なインターロックを付加することができる。また、緩衝材２２により、インターロックピン１６端が当接する引出形開閉器１４部分の損傷を防ぐことができる。
【実施例３】
【００２７】
次に、本発明の実施例３に係る金属閉鎖形スイッチギヤのインターロック装置を図６を参照して説明する。なお、この実施例３が実施例１と異なる点は、インターロック孔の形状である。図６において、実施例１と同様の構成部分においては、同一符号を付し、その詳細な説明を省略する。
【００２８】
図６に示すように、インターロック孔１７の下方端の形状を、長円状の太径長円部１７ａ１とし、細溝部１７ｂに連接させている。即ち、インターロックピン１６の太径部１６ａが上下方向に若干移動できるようになっている。
【００２９】
これにより、正面扉４を開放して引出形開閉器１４を箱体１外に搬出したとき、正面扉４を閉じることができる。これは、インターロック孔１７の下方を太径長円部１７ａ１としているため、固定ピン８を係止溝１３の水平部１３ａから垂直部１３ｂの上部付近まで移動させられるためである。即ち、固定ピン８を太径長円部１７ａ１の大きさの割合だけ、垂直部１３ｂ内を移動させることができ、正面扉４を仮止めをすることができる。
【００３０】
上記実施例３の金属閉鎖形スイッチギヤのインターロック装置によれば、実施例１による効果のほかに、引出形開閉器１４を箱体１外に搬出したとき、正面扉４を閉じて仮止めすることができる。
【符号の説明】
【００３１】
１  箱体
２  開口部
３  蝶番
４  正面扉
５  固定溝
５ａ  第１の上下板
５ｂ  第２の上下板
６  開口孔
７  可動金具
８  固定ピン
９  Ｃリング
１０  手動ハンドル
１１  インターロック機構
１２  固定板
１３  係止溝
１３ａ  水平部
１３ｂ  垂直部
１４  引出形開閉器
１５  インターロック板
１６  インターロックピン
１６ａ、１７ａ  太径部
１６ｂ  細径部
１７  インターロック孔
１７ａ１  太径長円部
１７ｂ  細溝部
１８  支え板
１９  バネ
２０  ベース板
２１  インターロックスイッチ
２２  緩衝材
【図１】
2010252561.tif 000003
【図２】
2010252561.tif 000004
【図３】
2010252561.tif 000005
【図４】
2010252561.tif 000006
【図５】
2010252561.tif 000007
【図６】
2010252561.tif 000008